(57)【特許請求の範囲】
【請求項１】
ほぼ矩形箱状の機器本体と、上記機器本体に設けられているとともに機器本体の側壁に開口し、それぞれカードを挿入可能な第１および第２カードスロットと、上記機器本体の後壁に上記機器本体の幅方向に並んで設けられ、それぞれ上記第１および第２カードスロット内からカードを取出すための第１および第２イジェクトレバーと、を備えた小型電子機器と、
上記機器本体の後端部に接続され、上記小型電子機器の機能を拡張する拡張アダプタと、を備え、
上記拡張アダプタは、機器本体の後端部が載置される載置部と、載置部から延出し上記載置された機器本体の後壁と対向する起立部と、上記起立部に設けられ上記第１および第２イジェクトレバーをイジェクト操作するためのカードイジェクト機構と、を有し、
上記起立部は、上記機器本体の後壁とほぼ平行に対向する起立壁と、上記起立壁に対して垂直に延出した上壁と、を有し、
上記カードイジェクト機構は、上記機器本体の幅方向に摺動自在に設けられた第１および第２操作レバーと、上記第１および第２操作レバーにそれぞれ設けられ、上記機器本体の幅方向に並んで位置しているとともに上記起立壁から突出して上記機器本体の第１および第２イジェクトレバーとそれぞれ係合可能な第１および第２押圧突起と、上記第１および第２操作レバーにそれぞれ設けられ、上記機器本体の幅方向と直交する方向に並んで位置しているとともに上記上壁に露出し、それぞれ外部から操作可能な第１および第２操作ノブと、を備えていることを特徴とする小型電子機器システム。
【請求項２】
上記カードイジェクト機構は、上記起立部内で上記上壁とほぼ平行に固定されたベースフレームと、上記上壁と反対側において上記ベースフレームに固定されベースフレームとほぼ平行に対向した支持フレームと、を有し、
上記第１操作レバーは、上記ベースフレームと上壁との間に配置され上記ベースフレームによって摺動自在にガイドされた水平部と、上記水平部から延出し上記起立壁と対向した垂直部と、を有し、上記第１押圧突起は上記垂直部に設けられ上記起立壁を貫通して突出しているとともに、上記第１操作ノブは上記水平部に係合し、
上記第２操作レバーは、上記ベースフレームと支持フレームとの間に保持され上記ベースフレームによって摺動自在にガイドされた水平部と、上記水平部から延出し上記起立壁と対向しているとともに上記第１操作レバーの垂直部に対して上記機器本体の幅方向に離間して位置した垂直部と、を有し、上記第２押圧突起は上記第２操作レバーの垂直部に設けられ上記起立壁を貫通して突出しているとともに、上記第２操作ノブは上記ベースフレームを介して上記水平部に係合していることを特徴とする請求項１に記載の小型電子機器システム。
【請求項３】
上記機器本体は、上記後壁にそれぞれ形成されているとともに、それぞれ機器本体の幅方向に延びた第１および第２凹所を有し、
上記第１および第２イジェクトレバーは、それぞれ上記第１および第２凹所内に突出した第１および第２係合突起を有し、
上記拡張アダプタの第１および第２押圧突起は、上記拡張アダプタを上記小型電子機器の装着した際、それぞれ上記第１および第２凹所内に位置し上記第１および第２係合突起と対向することを特徴とする請求項２に記載の小型電子機器システム。
【請求項４】
上記拡張アダプタは、上記上壁に上記機器本体の幅方向に直交する方向に並んで形成されているとともにそれぞれ上記幅方向に延び、上記第１および第２操作ノブがそれぞれ摺動自在に挿通された一対のガイドスロットを有していることを特徴とする請求項１ないし３のいずれか１項に記載の小型電子機器システム。
【請求項５】
上記拡張アダプタは、上記載置部に設けられ上記小型電子機器に接続される主コネクタと、上記起立部に設けられそれぞれ外部機器を接続可能な複数の副コネクタと、を備えていることを特徴とする請求項１ないし４のいずれか１項に記載の小型電子機器システム。
【発明の詳細な説明】
【０００１】
【発明の属する技術分野】
この発明は携帯型パーソナルコンピュータ等の小型電子機器と、この小型電子機器に装着可能なアダプタと、を備えた小型電子機器システムに関する。
【０００２】
【従来の技術】
近年、ノート型パーソナルコンピュータ、あるいは、いわゆるモバイルコンピュータと言われる携帯可能な小型のコンピュータが広く普及している。この種のコンピュータは、携帯性を高めるために機器本体の小型化が促められ、同時に、一層の性能の向上が求められている。
【０００３】
例えば、この種のパーソナルコンピュータは、機器本体の側面に開口したカードスロットを有し、このカードスロットに、モデムカード、メモリカード、インターフェースカード等のＰＣカードを挿入することにより、機能を拡張可能に構成されている。カードスロットに挿入されたＰＣカードを取出すためのイジェクトレバーは、機器本体の側壁あるいは後壁に設けられている。このイジェクトレバーは、機器本体の側壁に設けられていると、機器本体の奥行き方向の寸法を低減する上で障害となるため、機器本体の後壁に設けられているものが多い。
【０００４】
また、近年、上述したパーソナルコンピュータの機能を一層拡張可能とするため、入力／出力アダプタ、ポートリプリケータ等の種々の拡張アダプタが提供されている。この種の拡張アダプタは、プリンタ、外部ディスプレイ、マウス等の外部電子機器を接続可能な複数のコネクタを備え、パーソナルコンピュータの後端部に接続可能となっている。
【０００５】
【発明が解決しようとする課題】
しかしながら、前述したように、機器本体の後壁にＰＣカード取出し用のイジェクトレバーを有するパーソナルコンピュータにおいて、その後端部に拡張アダプタを接続した場合、イジェクトレバーが拡張アダプタによって覆われ操作不能となってしまう。
【０００６】
そのため、パーソナルコンピュータからＰＣカードを取出す場合には、拡張アダプタを一旦パーソナルコンピュータから取り外し、イジェクト操作を行った後、再度、拡張アダプタをパーソナルコンピュータに接続する必要がある。従って、ＰＣカードの脱着が面倒で、操作性が悪いという問題がある。
【０００７】
この発明は上記問題点に鑑みなされたもので、その目的は、拡張アダプタを接続した状態でもカードの脱着を容易に行うことができ、電子機器の小型化および操作性の向上を図ることが可能な小型電子機器システムを提供することにある。
【０００８】
【課題を解決するための手段】
上記目的を達成するため、この発明に係る小型電子機器システムは、ほぼ矩形箱状の機器本体と、上記機器本体に設けられているとともに機器本体の側壁に開口し、それぞれカードを挿入可能な第１および第２カードスロットと、上記機器本体の後壁に上記機器本体の幅方向に並んで設けられ、それぞれ上記第１および第２カードスロット内からカードを取出すための第１および第２イジェクトレバーと、を備えた小型電子機器と、
上記機器本体の後端部に接続され、上記小型電子機器の機能を拡張する拡張アダプタと、を備えている。
【０００９】
上記拡張アダプタは、機器本体の後端部が載置される載置部と、載置部から延出し上記載置された機器本体の後壁と対向する起立部と、上記起立部に設けられ上記第１および第２イジェクトレバーをイジェクト操作するためのカードイジェクト機構と、を有し、
上記起立部は、上記機器本体の後壁とほぼ平行に対向する起立壁と、上記起立壁に対して垂直に延出した上壁と、を有し、
上記カードイジェクト機構は、上記機器本体の幅方向に摺動自在に設けられた第１および第２操作レバーと、上記第１および第２操作レバーにそれぞれ設けられ、上記機器本体の幅方向に並んで位置しているとともに上記起立壁から突出して上記機器本体の第１および第２イジェクトレバーとそれぞれ係合可能な第１および第２押圧突起と、上記第１および第２操作レバーにそれぞれ設けられ、上記機器本体の幅方向と直交する方向に並んで位置しているとともに上記上壁に露出し、それぞれ外部から操作可能な第１および第２操作ノブと、を備えていることを特徴としている。
【００１０】
また、この発明に係る小型電子機器システムによれば、上記カードイジェクト機構は、上記起立部内で上記上壁とほぼ平行に固定されたベースフレームと、上記上壁と反対側において上記ベースフレームに固定されベースフレームとほぼ平行に対向した支持フレームと、を有し、
上記第１操作レバーは、上記ベースフレームと上壁との間に配置され上記ベースフレームによって摺動自在にガイドされた水平部と、上記水平部から延出し上記起立壁と対向した垂直部と、を有し、上記第１押圧突起は上記垂直部に設けられ上記起立壁を貫通して突出しているとともに、上記第１操作ノブは上記水平部に係合し、
上記第２操作レバーは、上記ベースフレームと支持フレームとの間に保持され上記ベースフレームによって摺動自在にガイドされた水平部と、上記水平部から延出し上記起立壁と対向しているとともに上記第１操作レバーの垂直部に対して上記機器本体の幅方向に離間して位置した垂直部と、を有し、上記第２押圧突起は上記第２操作レバーの垂直部に設けられ上記起立壁を貫通して突出しているとともに、上記第２操作ノブは上記ベースフレームを介して上記水平部に係合していることを特徴としている。
【００１１】
更に、この発明に係る小型電子機器システムによれば、上記機器本体は、上記後壁にそれぞれ形成されているとともに、それぞれ機器本体の幅方向に延びた第１および第２凹所を有し、
上記第１および第２イジェクトレバーは、それぞれ上記第１および第２凹所内に突出した第１および第２係合突起を有し、
上記拡張アダプタの第１および第２押圧突起は、上記拡張アダプタを上記小型電子機器の装着した際、それぞれ上記第１および第２凹所内に位置し上記第１および第２係合突起と対向することを特徴としている。
【００１２】
上記構成の小型電子機器システムによれば、小型電子機器の機器本体後端部を拡張アダプタの載置部に載置すると、機器本体の後壁は拡張アダプタの起立壁と隣接対向する。そして、カードイジェクト機構の第１および第２押圧突起は、それぞれ機器本体の第１および第２イジェクトレバーと係合する。この状態で、第１あるいは第２操作ノブを介して第１あるいは第２操作レバーを摺動操作すると、これに連動して押圧突起が移動し、係合したイジェクトレバーを摺動させる。それにより、拡張アダプタを装着した状態においても、第１あるいは第２カードスロットに収容されているカードをイジェクトすることが可能となる。
【００１３】
【発明の実施の形態】
以下、図面を参照してこの発明を実施の形態に係る小型電子機器システムについて詳細に説明する。
小型電子機器システムは、小型電子機器として携帯型のパーソナルコンピュータ７と、拡張アダプタとして入力／出力アダプタ８と、を備えている。図１ないし図３に示すように、パーソナルコンピュータ７は、偏平な矩形箱状の機器本体１０と、同じく偏平な矩形箱状のディスプレイユニット１２と、を備えている。機器本体１０は、上面の開口した矩形状箱状の下ケース１４と、ケースの上面開口を覆うようにケースに取り付けられたカバー１６と、により構成された筐体１８を備えている。また、機器本体１０は、カバー１６の上面に露出して設けられたキーボード２０を有している。
【００１４】
ディスプレイユニット１２は、カバー１６の後端部に設けられた一対のヒンジ部３０によって機器本体１０上に回動自在に取り付けられている。そして、ディスプレイユニット１２は、キーボード２０を露出する回動位置と、キーボード２０を覆い、機器本体１０とともに１つの箱状をなす閉塞位置との間に開閉自在となっている。
【００１５】
ディスプレイユニット１２の内面には、液晶表示パネル３２が露出した開口３４、電源スイッチ３５、リブポイント３６、ＬＥＤからなる表示部３８等が設けられている。また、ディスプレイユニット１２の外面には、リブポイント３６に対向して一対のクリックスイッチ４０が設けられている。
【００１６】
図１ないし図５に示すように、機器本体１０内には、それぞれＰＣカード２４を挿入可能な第１および第２カードスロット２２ａ、２２ｂが設けられ、これらカードスロットの挿入口は、機器本体の側壁に垂直方向に並んで設けられている。また、機器本体１０内には、その後壁１０ａに隣接して、かつ、機器本体の幅方向Ａに並んで第１および第２イジェクトレバー２６ａ、２６ｂが配設され、それぞれ幅方向Ａに沿って摺動自在に設けられている。
【００１７】
後壁１０ａの一端部下端には、機器本体１０の幅方向Ａに並んで第１および第２凹所２７ａ、２７ｂが形成され、それぞれ幅方向Ａに沿って延びている。第１および第２イジェクトレバー２６ａ、２６ｂは、それぞれ第１および第２凹所２７ａ、２７ｂ内に突出した第１および第２係合突起２８ａ、２８ｂを有している。
【００１８】
そして、第１係合突起２８ａを介して第１イジェクトレバー２６ａを幅方向Ａに沿って矢印Ｂ方向へ押圧することにより、機器本体１０内に回動自在に設けられた第１イジェクトアーム２９ａが矢印Ｃ方向に回動し、第１カードスロット２２ａ内に収納されているＰＣカード２４をイジェクトすることができる。同様に、第２係合突起２８ｂを介して第２イジェクトレバー２６ｂを幅方向Ａに沿って矢印Ｂ方向へ押圧することにより、機器本体１０内に回動自在に設けられた図示しない第２イジェクトアームが矢印Ｃ方向に回動し、第２カードスロット２２ｂ内に収納されているＰＣカード２４をイジェクトすることができる。
【００１９】
図３に示すように、機器本体１０の後壁１０ａ中央部および他端部には、それぞれロック用の係合凹所４２が形成されているとともに、後壁１０ａの両端部には、それぞれロック用のねじ孔４３が形成されている。
【００２０】
一方、図３、図５、および図６に示すように、入力／出力アダプタ８は、偏平な矩形状の載置部４４と、載置部から垂直に起立した起立部４６と、を有し、ほぼＬ字状に形成されている。載置部４４の上面は、前方に傾斜しパーソナルコンピュータ７の機器本体後端部を載置可能な載置面４４ａを構成している。また、起立部４６は、載置面４４ａの後端から載置面に対して垂直に延出した起立壁４６ａと、起立壁の上端から載置面４４ａとほぼ平行に延びた上壁４４ｂと、上壁から下方に延出し起立壁とほぼ平行に対向した後壁４６ｃと、を有している。
【００２１】
図３において、載置面４４ａの左端部側には、パーソナルコンピュータ７の機器本体１０底面に設けられた図示しないコネクタと接続可能な主コネクタ４８が設けられている。
【００２２】
起立部４６内には、ロック機構５０およびカードイジェクト機構５２が設けられている。ロック機構５０は、主コネクタ４８の近傍において、起立壁４６ａから突出し機器本体１０の係合凹所４２とそれぞれ係合可能な一対のロック爪５４と、上壁４６ｂに設けられ、ロック爪５４を起立部４６内に待避させてロックを解除するロック解除レバー５６と、を備えている。
【００２３】
また、図５および図６に示すように、起立部４６の後壁４６ｃには、プリンタ、外部ディスプレイ、外部キーボード、マウス等の外部機器をそれぞれ接続可能な複数の副コネクタ５８が設けられている。これらの副コネクタ５８は、主コネクタ４８に電気的に接続されている。更に、後壁４６ｃの両端部には、操作摘み６０ａを有するロックねじ６０がそれぞれ回転自在に設けられている。
【００２４】
パーソナルコンピュータ７の機器本体１０後端部が載置面４４ａ上に載置され入力／出力アダプタ８に装着されると、機器本体１０側のコネクタが主コネクタ４８に接続され、パーソナルコンピュータと入力／出力アダプタ８の複数の副コネクタ５８とが電気的に接続される。また、起立部４６の起立壁４６ａは機器本体１０の後壁１０ａと隣接対向して位置し、一対のロック爪５４は機器本体１０の係合凹所４２とそれぞれ係合して機器本体１０をロックする。この状態で、各ロックねじ６０の操作摘み６０ａを回し、ロックねじを機器本体１０のねじ孔４３へねじ込むことにより、パーソナルコンピュータ７を入力／出力アダプタ８に対して確実にロックすることができる。
【００２５】
次に、カードイジェクト機構５２について詳細に説明する。
図３、図４、および図７ないし図９に示すように、カードイジェクト機構５２は、パーソナルコンピュータ７側の第１イジェクトレバー２６ａをイジェクト操作するための第１操作レバー６２、パーソナルコンピュータ７側の第２イジェクトレバー２６ｂをイジェクト操作するための第２操作レバー６４、これら第１および第２操作レバーを摺動自在に支持したベースフレーム６６および支持フレーム６８を備えて構成されている。
【００２６】
ベースフレーム６６は、ほぼＬ字状に折曲げられた板材により構成され、その上面の一側部には、機器本体１０の幅方向Ａに沿って延びるガイドリブ７０が突設されている。また、ベースフレーム６６下面の他側部には、上方に向かって突出しているとともに幅方向Ａに沿って延びたガイド凹所７２が形成されている。ガイド凹所７２の底壁には、幅方向Ａに沿って延びた長孔７３が形成されている。
【００２７】
ベースフレーム６６は、図８において、右側半分から下方に垂直に突出したガイド壁７４を有し、ガイド壁７４の下端には、係合突部７５が形成されている。更に、ベースフレーム６６の下面には、下方に向かって突出しているとともにねじ孔が形成された一対のボス７６（一方のみ図示する）が設けられている。
【００２８】
支持フレーム６８は平板状に形成され、図８において、左側半分から下方に垂直に突出したガイド壁７８を有し、ガイド壁７８の下端には、係合突部８０が形成されている。そして、支持フレーム６８は、一対のねじ８１をベースフレーム６６のボス７６へねじ込むことにより、ベースフレームに固定されている。これにより、支持フレーム６８は所定の隙間を置いてベースフレーム６６と対向しているとともに、ガイド壁７８は、ベースフレーム６６のガイド壁７４と幅方向Ａに沿って並んで位置している。
【００２９】
第１操作レバー６２は、ベースフレーム６６の上面に対向した水平部６２ａと、ガイド壁７４と対向した垂直部６２ｂとを有し、ほぼ直角に折曲げられた板状に形成されている。そして、第１操作レバー６２は、ベースフレーム６６上に載置され、ガイドリブ７０により幅方向Ａに沿って摺動自在にガイドされている。なお、水平部６２ａは、ベースフレーム６６上面の手前側ほぼ半分を覆うように形成されている。
【００３０】
垂直部６２ｂは、図８において、右側部分から下方に突出した突出部６２ｃを有し、この突出部には、第１押圧突起８２が垂直に突設されている。また、水平部６２ａには、矩形状の係合孔８４が形成されている。水平部６２ａ上には、矩形板状の第１操作ノブ８６が載置されている。第１操作ノブ８６の下面には、水平部６２ａの係合孔８４に嵌合した突起８７が形成されているとともに、上面には、操作突部８８が形成されている。
【００３１】
更に、第１操作レバー６２の水平部６２ａとベースフレーム６６との間には、第１引っ張りばね９０が架設され、第１操作レバー６２を初期位置に付勢している。
【００３２】
第２操作レバー６４は、ベースフレーム６６と支持フレーム６８との間に位置した水平部６４ａと、支持フレームのガイド壁７８と対向した垂直部６４ｂとを有し、ほぼ直角に折曲げられた板状に形成されている。水平部６４ａは、上方に突出したガイド突部６４ｃを有し、このガイド突部は、ベースフレーム６に形成されたガイド凹所７２内に摺動自在に係合している。それにより、第２操作レバー６４は、ベースフレーム６６および支持フレーム６８間で、幅方向Ａに沿って摺動自在いガイドされている。
【００３３】
垂直部６４ｂは、第１操作レバー６２の突出部６２ｃと幅方向Ａに並んで、かつ、所定の間隔を置いて位置している。そして、垂直部６４ｂには、第２押圧突起９２が垂直に突設され、第１押圧突起８２と幅方向Ａに沿って所定の間隔を置いて並んでいる。また、ガイド突出６４ｃには、矩形状の係合孔９４が形成され、ガイド凹所７２の長孔７３と対向している。
【００３４】
ベースフレーム６６のガイド凹所７２上には、矩形板状の第２操作ノブ９６が載置され、幅方向Ａと直交する方向に沿って第１操作ノブ８４と並んで位置している。第２操作ノブ９６の下面には突起９７が形成され、この突起は、ガイド凹所７２の長孔７３を介して第２操作レバー６４の係合孔９４に嵌合している。また、第２操作ノブ９６の上面には、操作突部９８が形成されている。
【００３５】
更に、第２操作レバー６４の水平部６４ａとベースフレーム６６との間には、第２引っ張りばね１００が架設され、第２操作レバー６４を初期位置に付勢している。なお、ベースフレーム６６には、金属板により形成されパーソナルコンピュータ７の機器本体１０と導通可能な導通片１０２が取り付けられている。
【００３６】
一方、図７に示すように、起立部４６の起立壁４６ａと載置面４４ａとの交差部には、機器本体１０の幅方向Ａに離間して一対の開口１０４が形成されている。また、起立部４６の上壁４６ｂには、幅方向Ａと直交する方向に並んで一対のガイドスロット１０６が形成され、それぞれ幅方向Ａに沿って延びている。
【００３７】
上記構成のカードイジェクト機構５２は、起立部４６の上壁４６ｂ内面にねじ止め固定され、起立部４６内に収容されている。そして、図３および図４に示すように、第１および第２押圧突起８２、９２は、開口１０４を通して起立壁４６ａから突出しているとともに、ベースフレーム６６および支持フレーム６８の係合突部７５、８０がそれぞれ開口１０４に係合している。また、第１および第２操作ノブ８６、９６の操作突部８８、９８は、それぞれガイドスロイット１０６内に突出し、それぞれ外部から操作可能となっている。
【００３８】
図４、図５、および図９に示すように、パーソナルコンピュータ７の機器本体１０後端部が載置面４４ａ上に載置され入力／出力アダプタ８に装着されると、カーイジェクト機構５２の第１および第２押圧突起８２、９２は、それぞれ機器本体１０の後壁１０ａに設けられた第１および第２凹所２７ａ、２７ｂ内に侵入し、機器本体側の第１および第２イジェクトレバー２６ａ、２６ｂの第１および第２係合突起とそれぞれ対向する。
【００３９】
機器本体１０の第１カードスロット２２ａに装着されているＰＣカード２４をイジェクトする場合には、カードイジェクト機構５２の操作突部８８を矢印Ｂ方向に押圧することにより、第１操作ノブ８６を介して第１操作レバー６２が矢印Ｂ方向に摺動する。これにより、第１押圧突起８２が機器本体１０の第１凹所２７ａ内を矢印Ｂ方向に移動し、第１係合突起２８ａを介して第１イジェクトレバー２６ａを矢印Ｂ方向に移動させる。その結果、第１イジェクトアーム２９ａが矢印Ｃ方向に回動して、ＰＣカード２４を第１カードスロット２２ａからイジェクトする。イジェクト終了後、操作突部８８から手を離すと、第１操作レバー６２は、第１引っ張りばね９０に付勢され、第１押圧突起８２と共に初期位置に復帰する。
【００４０】
また、機器本体１０の第２カードスロット２２ｂに装着されているＰＣカード２４をイジェクトする場合には、カードイジェクト機構５２の操作突部９８を矢印Ｂ方向へ押圧することにより、第２操作ノブ９６を介して第２操作レバー６４が矢印Ｂ方向に摺動する。これにより、第２押圧突起９２が機器本体１０の第２凹所２７ｂ内を矢印Ｂ方向に移動し、第２係合突起２８ｂを介して第２イジェクトレバー２６ｂを矢印Ｂ方向に移動させる。その結果、図示しない第２イジェクトアームが矢印Ｃ方向に回動して、ＰＣカード２４を第２カードスロット２２ｂからイジェクトする。イジェクト終了後、操作突部９８から手を離すと、第２操作レバー６４は、第２引っ張りばね１００に付勢され、第２押圧突起９２と共に初期位置に復帰する。
【００４１】
以上のように構成された小型電子機器システムによれば、パーソナルコンピュータ７において、ＰＣカード２４をイジェクトするための第１および第２イジェクトレバー２６ａ、２６ｂは、機器本体１０の後壁１０ａ側に設けられていることから、機器本体１０の奥行寸法を低減し小型化を図ることができる。
【００４２】
また、入力／出力アダプタ８は、カードイジェクト機構５２を備えていることから、上記のような後壁１０ａ側にイジェクトレバーを有するパーソナルコンピュータ７を装着した場合でも、入力／出力アダプタ側のカードイジェクト機構５２を操作することにより、パーソナルコンピュータ７の第１および第２イジェクトレバー２６ａ、２６ｂを間接的に操作し、第１および第２カードスロット２２ａ、２２ｂに装着されたＰＣカード２４をイジェクトすることができる。従って、入力／出力アダプタ８をパーソナルコンピュータ７から取り外すことなくＰＣカード２４の取出しが可能となり、操作性の大幅な向上を図ることができる。
【００４３】
更に、カードイジェクト機構５２において、第１および第２操作レバー６２、６４は、ベースフレーム６６を間に挟んで重ねて設けられているとともに、第１および第２操作ノブ８６、９６は、機器本体１０の幅方向Ａと直交する方向に並んで設けられている。従って、カードイジェクト機構５２をコンパクトに形成することが可能となり、入力／出力アダプタ８の小型化を図ることができる。
【００４４】
なお、この発明は上述した実施の形態に限定されることなく、この発明の範囲内で種々変形可能である。例えば、この発明の小型電子機器システムにおいて、拡張アダプタは入力／出力アダプタに限らず、ポートリプリケータ等の他の拡張アダプタを組み合わせて用いてもよい。
【００４５】
【発明の効果】
以上詳述したように、この発明によれば、拡張アダプタを接続した状態でもカードの脱着を容易に行うことができ、電子機器の小型化および操作性の向上を図ることが可能な小型電子機器システムを提供することができる。
【００４６】
【図面の詳細な説明】
【００４７】
【図１】この発明の実施の形態に係る小型電子機器システムのパーソナルコンピュータを示す斜視図。
【００４８】
【図２】ディスプレイユニットを閉じた状態における上記パーソナルコンピュータの斜視図。
【００４９】
【図３】上記小型電子機器システムのパーソナルコンピュータの後端部および入力／出力アダプタを示す斜視図。
【００５０】
【図４】上記入力／出力アダプタにパーソナルコンピュータを装着した状態を一部破断して示す平面図。
【００５１】
【図５】上記入力／出力アダプタにパーソナルコンピュータを装着した状態を示す斜視図。
【００５２】
【図６】上記入力／出力アダプタにパーソナルコンピュータを装着した状態を示す斜視図。
【００５３】
【図７】上記入力／出力アダプタからカードイジェクト機構を取り外した状態を示す分解斜視図。
【００５４】
【図８】上記カードイジェクト機構の分解斜視図。
【００５５】
【図９】上記入力／出力アダプタにパーソナルコンピュータを装着した状態を一部破断して示す側面図。
【００５６】
【符号の説明】
７…パーソナルコンピュータ
８…入力／出力アダプタ
１０…機器本体
１０ａ…後壁
１２…ディスクプレイユニット
２０…キーボード
２２ａ…第１カードスロット
２２ｂ…第２カードスロット
２４…ＰＣカード
２６ａ…第１イジェクトレバー
２６ｂ…第２イジェクトレバー
２７ａ…第１凹所
２７ｂ…第２凹所
２８ａ…第１係合突起
２８ｂ…第２係合突起
４４…載置部
４６…起立部
４６ａ…起立壁
４６ｂ…上壁
４８…主コネクタ
５２…カードイジェクト機構
５８…副コネクタ
６２…第１操作レバー
６４…第２操作レバー
６２ａ、６４ａ…水平部
６２ｂ、６４ｂ…垂直部
６６…ベースフレーム
６８…支持フレーム
８２…第１押圧突起
８６…第１操作ノブ
８８…第１操作突部
９２…第２押圧突起
９６…第２操作ノブ
９８…第２操作突部
【図１】
0003579235.tif 000002
【図２】
0003579235.tif 000003
【図３】
0003579235.tif 000004
【図４】
0003579235.tif 000005
【図５】
0003579235.tif 000006
【図６】
0003579235.tif 000007
【図７】
0003579235.tif 000008
【図８】
0003579235.tif 000009
【図９】
0003579235.tif 000010